(57)【要約】【課題】被介護者が寝た状態でのおむつの交換を容易にする姿勢変更器具を提供する。【解決手段】姿勢変更器具１は、仰向けに寝ている状態のユーザ１０２の下部に配置される基材１０と、基材１０の表面に配置され、空気が注入されたときに、ユーザ１０２の姿勢を変更せる為に少なくとも臀部の一部を上昇させるように膨張する第１膨張部１４と、基材１０の表面に配置され、空気が注入されたときに、ユーザ１０２の腰部を上昇させるように膨張する第２膨張部１２と、基材の表面に配置され、空気が注入されたときに、ユーザ１０２の脚部を上昇させるように膨張する第３膨張部１１と、第１乃至第３膨張部へ空気を個別に注入するための空気注入経路２０とを有する。【選択図】図２
2020028322.tif 000002
【特許請求の範囲】
【請求項１】
仰向けに寝ている状態のユーザの下部に配置される基材と、
前記基材の表面に配置され、空気が注入されたときに、ユーザの姿勢を変更せる為に少なくとも臀部の一部を上昇させるように膨張する第１膨張部と、
前記基材の表面に配置され、空気が注入されたときに、ユーザの腰部を上昇させるように膨張する第２膨張部と、
前記基材の表面に配置され、空気が注入されたときに、ユーザの脚部を上昇させるように膨張する第３膨張部と、
前記第１乃至第３膨張部へ空気を個別に注入するための空気注入経路と、
を有することを特徴とする姿勢変更器具。
【請求項２】
前記基材の表面に配置され、空気が注入されたときに、前記第１膨張部の膨張に伴って姿勢が変更されたユーザを支えるために膨張する第４膨張部を更に有する、請求項１に記載の姿勢変更器具。
【請求項３】
前記第１膨張部は、空気が注入されることに応じて前記第４膨張部に対向する面が徐々に起立する、請求項２に記載の姿勢変更器具。
【請求項４】
前記第１膨張部は、空気が注入されたときに前記第４膨張部に対向する面が傾斜して膨張する、請求項２又は３に記載の姿勢変更器具。
【請求項５】
前記第２膨張部と前記第３膨張部との間の第１離隔距離は、前記第１膨張部と前記第４膨張部との間の第２離隔距離もよりも長い、請求項１〜４の何れか一項に記載の姿勢変更器具。
【請求項６】
前記第１膨張部と前記第４膨張部のそれぞれの外側に配置され、前記基材を移動可能に保持する基材移動部を更に有する、請求項１〜５の何れか一項に記載の姿勢変更器具。
【発明の詳細な説明】
【技術分野】
【０００１】
本発明は、姿勢変更器具に関する。
【背景技術】
【０００２】
ベッド等の寝具に寝ている人間の姿勢を維持及び変更するための種々の技術が知られている。例えば、特許文献１には、２列に配列されたエアバックの一方の列のエアバッグに吸気し且つ他方の列を脱気することによってエアバッグに身体の外形に沿った凹部を形成して身体を支持することで、身体を所定の体位に維持させる体位維持器具が記載される。また、特許文献２には、中央部より片端によった部分形成された屈曲部より面積の広い側に流体を供給することによって膨張し屈曲部を支点として扇状に膨張することによって傾斜面を形成する流体袋によって人体を載置する寝具用載置器具が記載される。
【０００３】
また、特許文献３には、寝姿勢の使用者がくしゃみ等をしたときに、使用者の首と背中の間の所定位置に配置されるエアバックに空気を充填して、使用者のくしゃみ等を鎮静させる寝具器具が記載れる。また、引用文献４には、使用者を支持する支持マットにおける、使用者の動かしたい部位に対応する部分を上方に変位させて使用者の体位を微調整する変位動作部を有することを特徴とする体位微調整マットレスが記載される。
【先行技術文献】
【特許文献】
【０００４】
【特許文献１】特開２００１−１７０１１６号公報
【特許文献２】特開２０１５−７７１８０号公報
【特許文献３】特開２０１５−１１６３６７号公報
【特許文献４】特開２０１５−２１１７９３号公報
【発明の概要】
【発明が解決しようとする課題】
【０００５】
また、在宅施設及び自宅等で略１日中ベッド等の寝具の上で過ごす被介護者にとって排泄行為のために便所に出向くことは容易ではなく、被介護者が使い捨ておむつ（以下、おむつと称する）を使用することがある。被介護者がおむつを使用する場合、被介護者を介護する介護者が被介護者のおむつを交換することになるが、被介護者が寝た状態でおむつを交換することは容易ではない。
【０００６】
本発明は、被介護者が寝た状態でのおむつの交換を容易にする姿勢変更器具を提供することを目的とする。
【課題を解決するための手段】
【０００７】
本発明に係る姿勢変更器具は、仰向けに寝ている状態のユーザの下部に配置される基材と、基材の表面に配置され、空気が注入されたときに、ユーザの姿勢を変更せる為に少なくとも臀部の一部を上昇させるように膨張する第１膨張部と、基材の表面に配置され、空気が注入されたときに、ユーザの腰部を上昇させるように膨張する第２膨張部と、基材の表面に配置され、空気が注入されたときに、ユーザの脚部を上昇させるように膨張する第３膨張部と、第１乃至第３膨張部へ空気を個別に注入するための空気注入経路とを有する。
【０００８】
本発明に係る姿勢変更器具は、基材の表面に配置され、空気が注入されたときに、第１膨張部の膨張に伴って姿勢が変更されたユーザを支えるために膨張する第４膨張部を更に有することが好ましい。
【０００９】
本発明に係る姿勢変更器具では、第１膨張部は、空気が注入されることに応じて第４膨張部に対向する面が徐々に起立することが好ましい。
【００１０】
本発明に係る姿勢変更器具では、第１膨張部は、空気が注入されたときに第４膨張部に対向する面が傾斜して膨張することが好ましい。
【００１１】
本発明に係る姿勢変更器具では、第２膨張部と第３膨張部との間の第１離隔距離は、第１膨張部と第４膨張部との間の第２離隔距離もよりも長いことが好ましい。
【００１２】
本発明に係る姿勢変更器具は、第１膨張部及び第４膨張部のそれぞれの外側に配置され、基材を移動可能に保持する基材移動部を更に有することが好ましい。
【発明の効果】
【００１３】
本発明に係る姿勢変更器具によれば、被介護者が寝た状態でのおむつの交換を容易にすることができる。
【図面の簡単な説明】
【００１４】
【図１】第１実施形態に係る姿勢変更器具の斜視図である。
【図２】図１に示す脚部昇降部、腰部昇降部、腹部保持部及び臀部昇降部のそれぞれが膨張した状態を示す図である。
【図３】おむつ交換作業の第１工程を示す図である。
【図４】おむつ交換作業の第２工程を示す図である。
【図５】おむつ交換作業の第３工程を示す図である。
【図６】おむつ交換作業の第４工程（その１）を示す図である。
【図７】おむつ交換作業の第４工程（その２）を示す図である。
【図８】おむつ交換作業の第５工程を示す図である。
【図９】おむつ交換作業の第６工程を示す図である。
【図１０】第２実施形態に係る姿勢変更器具の斜視図である。
【図１１】図１０に示す姿勢変更器具が当初の位置に配置される第１状態を示す図である。
【図１２】図１０に示す姿勢変更器具が上方に移動された第２状態を示す図である。
【発明を実施するための形態】
【００１５】
以下、添付図面を参照して、本発明に係る姿勢変更器具について詳細に説明する。ただし、本発明の技術的範囲はそれらの実施の形態に限定されず、特許請求の範囲に記載された発明とその均等物に及ぶ点に留意されたい。
【００１６】
（実施形態に係る姿勢変更器具の概要）
実施形態に係る姿勢変更器具は、基材と、基材の表面に配置され、空気が注入されることで膨張する脚部昇降部、腰部昇降部、腹部保持部及び臀部昇降部とを有し、ベッド等の寝具の表面に配置される。介護者は、被介護者（以下、ユーザとも称する）のおむつを交換するとき、腹部保持部を膨張した状態で、臀部昇降部を膨張させて、仰向きで寝ていた被介護者の臀部を持ち上げることで、被介護者を横向きにする。次いで、腰部昇降部及び脚部昇降部を順次膨張させながらおむつを交換する。実施形態に係る姿勢変更器具は、被介護者を横向きにした上で、被介護者の腰部及び脚部を順次昇降することで、被介護者は装着しているおむつを容易に交換できる。
【００１７】
（第１実施形態に係る姿勢変更器具）
図１は第１実施形態に係る姿勢変更器具の斜視図であり、図２は図１に示す脚部昇降部、腰部昇降部、腹部保持部及び臀部昇降部のそれぞれが膨張した状態を示す図である。図１及び２において、第１方向は第１実施形態に係る姿勢変更器具を平面視したときの右方向を示し、第２方向は第１方向から反時計回りに９０度回転した方向を示し、第３方向は第２方向から反時計回りに９０度回転した方向を示す。
【００１８】
姿勢変更器具１は、基材１０と、脚部昇降部１１と、腰部昇降部１２と、腹部保持部１３と、臀部昇降部１４と、空気吸排口２０とを有する。脚部昇降部１１は第３膨張部とも称され、腰部昇降部１２は第２膨張部とも称され、腹部保持部１３は第４膨張部とも称され、臀部昇降部１４は第１膨張部とも称される。また、脚部昇降部１１、腰部昇降部１２、腹部保持部１３及び臀部昇降部１４が膨張したときの幅及び高さ等の形状は、一例であり、脚部昇降部、腰部昇降部、腹部保持部及び臀部昇降部が膨張したときの幅はより長くてもよく、高さはより高くてもよい。
【００１９】
空気吸排口２０は、第１吸排気口２１〜第４吸排気口２４を含む。第１吸排気口２１〜第４吸排気口２４のそれぞれは、不図示のポンプに接続され、脚部昇降部１１、腰部昇降部１２、腹部保持部１３及び臀部昇降部１４のそれぞれにへ空気を個別に注入するための空気注入経路である。脚部昇降部１１、腰部昇降部１２、腹部保持部及び臀部昇降部は、別個に空気が注入可能である。
【００２０】
第１吸排気口２１〜第４吸排気口２４のそれぞれに接続されるポンプは、足踏みポンプ等の手動ポンプであってもよく、モータポンプ等の自動ポンプであってもよい。第１吸排気口２１〜第４吸排気口２４のそれぞれは、不図示の逆止弁が配置され、脚部昇降部１１、腰部昇降部１２、腹部保持部１３及び臀部昇降部１４のそれぞれに注入された空気が漏気することを防止する。脚部昇降部１１、腰部昇降部１２、腹部保持部１３及び臀部昇降部１４のそれぞれに注入された空気は、逆止弁を開放することで排気される。
【００２１】
基材１０は、ポリ塩化ビニル及び多孔質ポリテトラフルオロエチレン（expanded polytetrafluoroethylene、ｅＰＴＦＥ）等のフッ素樹脂等の可とう性の合成樹脂で形成され、矩形の表面１００を有する。基材１０の内部には、不図示の空気管が配置され、脚部昇降部１１と第１吸排気口２１との間、腰部昇降部１２と第２吸排気口２２との間、腹部保持部１３と第３吸排気口２３との間、臀部昇降部１４と第４吸排気口２４との間のそれぞれが接続される。基材１０は、仰向けに寝ている状態の被介護者の下部に配置される。
【００２２】
脚部昇降部１１は、ポリ塩化ビニル及びｅＰＴＦＥ等のフッ素樹脂等の可とう性の合成樹脂で形成され、基材１０の表面１００に配置される。脚部昇降部１１は、第１吸排気口２１を介してポンプから空気が注入されたときに第１方向に延伸する棒状に膨張する。より具体的には、脚部昇降部１１は、空気が注入されたときに第１方向に長手方向が延伸し且つ高さがＨ１である直方体形状となるように膨張する。脚部昇降部１１は、空気が注入されたときに、被介護者の脚部を上昇させるように膨張する。
【００２３】
腰部昇降部１２は、ポリ塩化ビニル及びｅＰＴＦＥ等のフッ素樹脂等の可とう性の合成樹脂で形成され、脚部昇降部１１から第２方向に第１離隔距離Ｌ１だけ離れた基材１０の表面１００に配置される。腰部昇降部１２は、第２吸排気口２２を介してポンプから空気が注入されたときに、脚部昇降部１１と同様に、第１方向に延伸する棒状に膨張する。より具体的には、脚部昇降部１１は、空気が注入されたときに第１方向に長手方向が延伸し且つ高さがＨ２である直方体形状となるように膨張する。腰部昇降部１２の高さＨ２は、脚部昇降部１１の高さＨ１と等しい。腰部昇降部１１は、空気が注入されたときに、被介護者の腰部を上昇させるように膨張する。
【００２４】
腹部保持部１３は、ポリ塩化ビニル及びｅＰＴＦＥ等のフッ素樹脂等の可とう性の合成樹脂で形成され、脚部昇降部１１及び腰部昇降部１２から第１方向に離れた基材１０の表面１００に配置される。腹部保持部１３は、第３吸排気口２３を介してポンプから空気が注入されたときに第２方向に延伸する棒状に膨張する。より具体的には、腹部保持部１３は、空気が注入されたときに第２方向に長手方向が延伸し且つ高さがＨ３である直方体形状となるように膨張する。腹部保持部１３の高さＨ３は、脚部昇降部１１の高さＨ１及び腰部昇降部１２の高さＨ２よりも高い。腹部昇降部１１は、空気が注入されたときに、臀部昇降部１４の膨張に伴って姿勢が変更された被介護者を支えるために膨張する。
【００２５】
臀部昇降部１４は、ポリ塩化ビニル及びｅＰＴＦＥ等のフッ素樹脂等の可とう性の合成樹脂で形成され、腹部保持部１３から第１方向の反対の第３方向に、脚部昇降部１１と腰部昇降部１２との間の第１離隔距離Ｌ１よりも短い第２離隔距離Ｌ２だけ離れた基材１０の表面１００に配置される。すなわち、脚部昇降部１１と腰部昇降部１２との間の第１離隔距離Ｌ１は、腹部保持部１３と臀部昇降部１４との間の第２離隔距離Ｌ２もよりも長い。臀部昇降部１４は、第４吸排気口２４を介してポンプから空気が注入されたときに第２方向に延伸する半円柱状に膨張する。臀部昇降部１４の高さＨ４は、腹部保持部１３の高さＨ３よりも高い。腹部昇降部１１は、空気が注入されたときに、被介護者の臀部を上昇させるように膨張する。
【００２６】
（第１実施形態に係る姿勢変更器具を使用したおむつ交換作業）
図３〜９は、姿勢変更器具１を使用したおむつ交換作業を示す図である。図３はおむつ交換作業の第１工程を示し、図４はおむつ交換作業の第２工程を示し、図５はおむつ交換作業の第３工程を示す。図６はおむつ交換作業の第４工程（その１）を示し、図７はおむつ交換作業の第４工程（その２）を示し、図８はおむつ交換作業の第５工程を示し、図９はおむつ交換作業の第６工程を示す。
【００２７】
まず、第１工程において、介護者は、姿勢変更器具１をベッド１０１の表面の中央部に配置する。姿勢変更器具１は、ベッド１０１の表面を覆うシーツ等の寝具の上に配置されてもよく、ベッド１０１の表面と寝具との間に配置されてもよい。また、姿勢変更器具１は、清掃等の保守作業を実施するとき以外は、ベッド１０１の配置された状態を維持してもよい。また、姿勢変更器具１は、腰部昇降部１２が被看護者の頭が配置される枕に近くなるように配置されるが、腰部昇降部１２が被看護者の頭が配置される枕から遠くなるように配置されてもよい。
【００２８】
次いで、第２工程において、介護者は、ベッド１０１の表面の中央部に配置された姿勢変更器具１の表面１００を被介護者１０２の腰部、臀部及び大腿部が覆うように、被介護者１０２を配置する。被介護者１０２の大腿部は脚部昇降部１１を覆い、被介護者１０２の腰部は腰部昇降部１２を覆い、被介護者１０２の臀部は臀部昇降部１４の右側部分を覆う。腹部保持部１３は、被介護者１０２の何れの部位にも覆われない。
【００２９】
次いで、第３工程において、介護者は、第３吸排気口２３に接続されたポンプを駆動して、腹部保持部１３に空気を注入して腹部保持部１３を膨張させる。腹部保持部１３の高さＨ３は、被介護者１０２の胸の幅よりも高い。
【００３０】
次いで、第４工程において、介護者は、第４吸排気口２４に接続されたポンプを駆動して、臀部昇降部１４に空気を注入して臀部昇降部１４を膨張させる。臀部昇降部１４の腹部保持部１３に対向する面は、空気が注入されることに応じてが徐々に起立する。また、臀部昇降部１４の腹部保持部１３に対向する面は、空気が注入されたときに傾斜して膨張する。臀部昇降部１４の腹部保持部１３に対向する面が傾斜しながら徐々に起立することで、被介護者１０２の臀部の端部は、徐々にベッド１０１の表面から離隔する。
【００３１】
第４工程において、臀部昇降部１４に空気が注入されて臀部昇降部１４が完全に膨張すると、被介護者１０２は仰向けから横向きに姿勢が変更される。被介護者１０２の姿勢が横向きになると、被介護者１０２の胸部及び腹部は、腹部保持部１３によって保持される。
【００３２】
次いで、第５工程において、介護者は、第２吸排気口２２に接続されたポンプを駆動して、腰部昇降部１２に空気を注入して腰部昇降部１２を膨張させる。腰部昇降部１２が膨張することで、横向きに寝ている被介護者の腰部及び臀部の上端は、ベッド１０１の表面から離隔する。介護者はズボン及びおむつを被介護者の臀部から脚部方向に移動する。
【００３３】
次いで、第６工程において、介護者は、第２吸排気口２２から腰部昇降部１２に注入された空気を排気すると共に、第１吸排気口２１に接続されたポンプを駆動して、脚部昇降部１１に空気を注入して脚部昇降部１１を膨張させる。脚部昇降部１１が膨張させことで、横向きに寝ている被介護者の臀部の下端及び大腿部は、ベッド１０１の表面から離隔する。介護者はズボン及びおむつを被介護者の脚部から抜き取る。
【００３４】
そして、介護者は、第５工程及び第６工程を反対に実行することで、新しいおむつをズボンと共に被介護者の臀部に装着する。
【００３５】
（第１実施形態に係る姿勢変更器具の作用効果）
姿勢変更器具１は、脚部昇降部１１及び腰部昇降部１２を順次膨張させることで、介護者による被介護者１０２のおむつの交換を容易することができる。また、姿勢変更器具１は、臀部昇降部１４によって被介護者の姿勢を仰向けから横向きに変更した後に、おむつを交換するので、被介護者１０２のおむつの交換が更に容易になる。
【００３６】
また、姿勢変更器具１は、臀部昇降部１４に対向するように腹部保持部１３が配置されるので、臀部昇降部１４を膨張させて被介護者の姿勢を仰向けから横向けに変更するときに、被介護者が臀部昇降部１４の反対側に回転して俯せになることを防止できる。
【００３７】
また、姿勢変更器具１は、臀部昇降部１４は、空気が注入されることに応じて腹部保持部１３に対向する面が傾斜しながら徐々に起立するので、仰向けに寝ている被介護者を確実に横向きにすることができる。
【００３８】
また、姿勢変更器具１では、脚部昇降部１１と腰部昇降部１２とは、別個に空気が注入可能であるので、腰部及び大腿部の一方のみを持ち上げておむつを交換できるため、被介護者の腰部及び大腿部の双方を持ち上げて被介護者に無理な姿勢を強いることがない。
【００３９】
また、姿勢変更器具１では、脚部昇降部１１と腰部昇降部１２とは、別個に空気が注入可能であるので、腰部及び大腿部の一方のみを持ち上げておむつを交換できるため、被介護者の腰部及び大腿部の双方を持ち上げて被介護者に無理な姿勢を強いることがない。
【００４０】
また、腹部保持部１３と臀部昇降部１４との間の第２離隔距離は、脚部昇降部１１と腰部昇降部１２との間の第１離隔距離もよりも短いので、臀部昇降部１４が膨張している間、被介護者を横向きの状態で保持することができる。
【００４１】
（第２実施形態に係る姿勢変更器具）
図１０は、第２実施形態に係る姿勢変更器具の斜視図である。
【００４２】
姿勢変更器具２は、基材１０の四隅の裏面に配置される４つの基材移動部３０と、４つの基材移動部３０を支持する一対の支持部材３１とを有することが姿勢変更器具１と相違する。基材移動部３０及び一対の支持部材３１以外の姿勢変更器具２の構成要素の構成及び機能は、同一符号が付された姿勢変更器具１の構成要素の構成及び機能と同一なので、ここでは詳細な説明は省略する。
【００４３】
基材移動部３０のそれぞれは、一対の案内板に挟持された車輪を有し、例えばベッドの長手方向の両脇に延伸する一対の桟の上に配置されることで、基材１０を移動可能に保持する。基材移動部３０の車輪は、不図示のストッパにより固定可能である。一対の支持部材３１のそれぞれは、第２方向に延伸する平板状の剛性部材であり、表面に基材１０の裏面が固定されると共に、裏面の両端に基材移動部３０が固定される。
【００４４】
図１１は姿勢変更器具２が当初の位置に配置される第１状態を示す図であり、図１２は姿勢変更器具２が上方に移動された第２状態を示す図である。
【００４５】
被介護者は、寝ている間にベッドの下方に移動してしまうことが頻繁に発生する。介護者は、ベッドの下方に移動した被介護者を正常な位置に戻す必要がある。姿勢変更器具２は、基材移動部３０によってベッド１０１の長手方向に移動可能なので、基材１０の表面１００に臀部が搭載された被介護者をベッド１０１の上側に移動させることができる。
【００４６】
（実施形態に係る姿勢変更器具の変形例）
姿勢変更器具１及び２では、脚部昇降部１１及び腰部昇降部１２は、第１方向に延伸する直方体形状となるように膨張するが、実施形態に係る姿勢変更器具では、脚部昇降部及び腰部昇降部は第１方向に延伸する半円柱状等の他の棒状の形状に膨張してもよい。また、姿勢変更器具１及び２では、腹部保持部１３は、第２方向に延伸する直方体形状となるように膨張するが、実施形態に係る姿勢変更器具では、腹部保持部は第２方向に延伸する半円柱状等の他の棒状の形状に膨張してもよい。また、腹部保持部及び臀部昇降部は、膨張したときに同一の半円形状になるように形成されてもよい。腹部保持部及び臀部昇降部が膨張したときに同一の半円形状になるように形成されることで、腹部保持部及び臀部昇降部の双方は、腹部保持部及び臀部昇降部の双方の機能を有し、被介護者の姿勢を左右両方向に変更することができる。
【００４７】
また、姿勢変更器具１及び２では、臀部昇降部１４は、第２方向に延伸する半円柱状となるように膨張するが、実施形態に係る姿勢変更器具では、臀部昇降部は第２方向に延伸する直方体形状等の他の形状に膨張してもよい。臀部昇降部が第２方向に延伸する直方体形状であるとき、臀部昇降部は、空気が注入されたときに腹部保持部に対向する面が傾斜して膨張し、腹部保持部に対向する面が徐々に起立する。
【００４８】
また、姿勢変更器具１及び２では、脚部昇降部１１、腰部昇降部１２、腹部保持部１３及び臀部昇降部１４のそれぞれは空気圧により膨張する。しかしながら、実施形態に係る姿勢変更器具では、脚部昇降部、腰部昇降部、腹部保持部及び臀部昇降部は、水及び油等液体並びにゲル状の半流体等の流体の圧力により膨張するように形成されてもよい。また、実施形態に係る姿勢変更器具では、脚部昇降部、腰部昇降部、腹部保持部及び臀部昇降部は、伸縮性に優れた素材で形成されることが好ましい。脚部昇降部、腰部昇降部、腹部保持部及び臀部昇降部は、伸縮性に優れた素材で形成されることで、膨張していないときの弛みを最小限とすることができるので、膨張していないときに被介護者の皮膚に接触して褥瘡が発生するおそれを低くできる。
【００４９】
また、姿勢変更器具１及び２では、臀部昇降部１４は、被介護者１０２の臀部を昇降する位置に配置されるが、実施形態に係る姿勢変更器具では、臀部昇降部は、被介護者の臀部ではなく、被介護者の背部を昇降する位置に配置されてもよい。また、実施形態に係る姿勢変更器具では、臀部昇降部は、腰部昇降部１２の長手方向に隣接する２つの部材として配置され、被介護者の臀部及び背部の双方を昇降するように形成されてもよい。
【００５０】
また、姿勢変更器具１及び２では、脚部昇降部１１、腰部昇降部１２、腹部保持部１３及び臀部昇降部１４のそれぞれは単一の部材として形成される。しかしながら、実施形態に係る姿勢変更器具では、脚部昇降部、腰部昇降部、腹部保持部及び臀部昇降部のそれぞれは、隣接し且つ別個に膨張可能な部材として形成されてもよい。実施形態に係る姿勢変更器具は、脚部昇降部、腰部昇降部、腹部保持部及び臀部昇降部のそれぞれが隣接し且つ別個に膨張可能な部材として形成されることで、種々の体形の被介護者に利用可能にすることができる。
【００５１】
また、実施形態に係る姿勢変更器具は、部昇降部、腰部昇降部、腹部保持部及び臀部昇降部のそれぞれの配置位置を変更した複数の形態を含んでもよい。実施形態に係る姿勢変更器具は、部昇降部、腰部昇降部、腹部保持部及び臀部昇降部のそれぞれの配置位置を変更した複数の形態を含むことで、種々の体形の被介護者に利用可能にすることができる。
【００５２】
１、２    姿勢変更器具
１０    基材
１１    脚部昇降部（第３膨張部）
１２    腰部昇降部（第２膨張部）
１３    腹部保持部（第４膨張部）
１４    臀部昇降部（第１膨張部）
２０    空気吸排口
３０    基材移動部
【図１】
2020028322.tif 000003
【図２】
2020028322.tif 000004
【図３】
2020028322.tif 000005
【図４】
2020028322.tif 000006
【図５】
2020028322.tif 000007
【図６】
2020028322.tif 000008
【図７】
2020028322.tif 000009
【図８】
2020028322.tif 000010
【図９】
2020028322.tif 000011
【図１０】
2020028322.tif 000012
【図１１】
2020028322.tif 000013
【図１２】
2020028322.tif 000014
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
第１方向及び前記第１方向に直交する第２方向のそれぞれに延伸する平板状の形状を有し、仰向けに寝ている状態のユーザの下部に配置される基材と、
前記基材の表面に配置され、空気が注入されたときに、ユーザの姿勢を変更せる為に少なくとも臀部の一部を上昇させるように、前記第２方向に延伸する棒状に膨張する第１膨張部と、
前記第１膨張部から前記第２方向に離れた前記基材の表面に配置され、空気が注入されたときに、ユーザの腰部を上昇させるように、前記第１方向に延伸する棒状に膨張する第２膨張部と、
前記第１膨張部から前記第２膨張部の反対の方向に離れた前記基材の表面に配置され、空気が注入されたときに、ユーザの脚部を上昇させるように、前記第１方向に延伸する棒状に膨張する第３膨張部と、
前記第１乃至第３膨張部へ空気を個別に注入するための空気注入経路と、
を有することを特徴とする姿勢変更器具。
【請求項２】
前記基材の表面に配置され、空気が注入されたときに、前記第１膨張部の膨張に伴って姿勢が変更されたユーザを支えるために膨張する第４膨張部を更に有する、請求項１に記載の姿勢変更器具。
【請求項３】
前記第１膨張部は、空気が注入されることに応じて前記第４膨張部に対向する面が徐々に起立する、請求項２に記載の姿勢変更器具。
【請求項４】
前記第１膨張部は、空気が注入されたときに前記第４膨張部に対向する面が傾斜して膨張する、請求項２又は３に記載の姿勢変更器具。
【請求項５】
前記第２膨張部と前記第３膨張部との間の第１離隔距離は、前記第１膨張部と前記第４膨張部との間の第２離隔距離もよりも長い、請求項１〜４の何れか一項に記載の姿勢変更器具。
【請求項６】
前記第１膨張部と前記第４膨張部のそれぞれの外側に配置され、前記基材を移動可能に保持する基材移動部を更に有する、請求項１〜５の何れか一項に記載の姿勢変更器具。
【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
第１方向及び前記第１方向に直交する第２方向のそれぞれに延伸する平板状の形状を有し、仰向けに寝ている状態のユーザの下部に配置される基材と、
前記基材の表面に配置され、空気が注入されたときに、ユーザの姿勢を変更せる為に少なくとも臀部の一部を上昇させるように、前記第２方向に延伸する棒状に膨張する第１膨張部と、
前記第１膨張部から前記第２方向に離れた前記基材の表面に配置され、空気が注入されたときに、ユーザの腰部を上昇させるように、前記第１方向に延伸する棒状に膨張する第２膨張部と、
前記第１膨張部から前記第２膨張部の反対の方向に離れた前記基材の表面に配置され、空気が注入されたときに、ユーザの脚部を上昇させるように、前記第１方向に延伸する棒状に膨張する第３膨張部と、
前記第１乃至第３膨張部へ空気を個別に注入するための空気注入経路と、
を有することを特徴とする姿勢変更器具。
【請求項２】
前記基材の表面に配置され、空気が注入されたときに、前記第１膨張部の膨張に伴って姿勢が変更されたユーザを支えるために膨張する第４膨張部を更に有する、請求項１に記載の姿勢変更器具。
【請求項３】
前記第１膨張部は、空気が注入されることに応じて前記第４膨張部に対向する面が徐々に起立する、請求項２に記載の姿勢変更器具。
【請求項４】
前記第１膨張部は、空気が注入されたときに前記第４膨張部に対向する面が傾斜して膨張する、請求項２又は３に記載の姿勢変更器具。
【請求項５】
前記第２膨張部と前記第３膨張部との間の第１離隔距離は、前記第１膨張部と前記第４膨張部との間の第２離隔距離もよりも長い、請求項２〜４の何れか一項に記載の姿勢変更器具。
【請求項６】
前記第１膨張部と前記第４膨張部のそれぞれの外側に配置され、前記基材を移動可能に保持する基材移動部を更に有する、請求項２〜５の何れか一項に記載の姿勢変更器具。